(57)【要約】      （修正有）【課題】角度調整機能付きＬＥＤ照明器具を提供する。【解決手段】放熱壁１１、二つの側壁１２、及び複数の放熱フィン１３を有し、二つの側壁１２と共に収容溝を形成する放熱本体１０と、放熱壁１１に接続されている回路基板および回路基板に設けられる複数の発光ダイオードを有する、収容溝に収容される発光モジュールと、複数のレンズ素子をそれぞれ有し、発光モジュールを覆うように設けられ、複数のレンズ素子が、それぞれ発光ダイオードの位置に対応し、発光ダイオードからの光ビームがそれぞれ対応するレンズ素子を透過して出射されるようにする光透過モジュール３０と、を含むＬＥＤ照明器具１００であって、二つの角度調整シート７０及びハンドル８０を含み、且つ二つの角度調整シート７０が放熱本体１０にロックされる角度調整装置２００とを備える。【選択図】図１
0003203339.tif 000002
【実用新案登録請求の範囲】
【請求項１】
ＬＥＤ照明器具であって、
放熱壁、前記放熱壁の両側にそれぞれつながる二つの側壁、及び前記放熱壁から外部へ延伸する複数の放熱フィンを有し、前記放熱壁が各前記側壁と共に収容溝を形成する放熱本体と、
前記放熱壁に接続される回路基板および互いに間隔を置いて前記回路基板に並んで設けられる複数の発光ダイオードを有する、前記収容溝に収容される複数の発光モジュールと、
複数のレンズ素子をそれぞれ有し、前記収容溝に収容されとともに、各前記発光モジュールを覆うように設けられ、各前記レンズ素子が、それぞれ各前記発光ダイオードの位置に対応し、各前記発光ダイオードからの光ビームがそれぞれ対応する各前記レンズ素子を透過して出射されるようにする複数の光透過モジュールと、
を含むＬＥＤ照明器具と、
二つの角度調整シート及び前記二つの角度調整シートに枢着されるハンドルを含み、且つ前記二つの角度調整シートがこの放熱本体にロックされる角度調整装置と、
を備えることを特徴とする角度調整機能付きＬＥＤ照明器具。
【請求項２】
前記二つの角度調整シートのそれぞれは、枢着板および前記枢着板が曲がって延伸してなる固定板を有することを特徴とする請求項１に記載の角度調整機能付きＬＥＤ照明器具。
【請求項３】
各前記放熱フィンは、ロックフィンを含み、前記ロックフィンの中央に少なくとも二つのロック孔が形成され、前記ロックフィンにおける中央から離れた先端に二つのロック孔が形成され、前記ロックフィンにおける中央から離れた末端に二つのロック孔が形成されていることを特徴とする請求項２に記載の角度調整機能付きＬＥＤ照明器具。
【請求項４】
前記二つの固定板のそれぞれには多数の固定孔が設けられ、一方の固定板における各前記固定孔のうちの二つの固定孔は、前記ロックフィンの先端の前記二つのロック孔に対応するようにねじでロックされ、他方の固定板における各前記固定孔のうちの二つの固定孔は、前記ロックフィンの末端の前記二つの固定ロック孔に対応するようにねじでロックされていることを特徴とする請求項３に記載の角度調整機能付きＬＥＤ照明器具。
【請求項５】
前記ハンドルは、固定アーム及び前記固定アームの両端がそれぞれ下方向に延伸してなる二つの分岐アームを有し、前記二つの枢着板における中央に近接した部分のそれぞれに枢着孔が開設されており、２本の枢着ロッドは、前記二つの枢着板がそれぞれ前記二つの分岐アームに対して枢転できるように、前記二つの分岐アーム及び前記二つの枢着孔にそれぞれ挿設されていることを特徴とする請求項４に記載の角度調整機能付きＬＥＤ照明器具。
【請求項６】
前記二つの枢着板における上端に近接した部分にそれぞれアーチ形状のスライド溝が開設されており、二つの位置決めロッドは、それぞれ二つのアーチ形状のスライド溝の内縁に沿って往復移動できるように、それぞれ前記二つの分岐アームに挿設されるとともに、それぞれ延伸して前記二つのアーチ形状のスライド溝に進入されることを特徴とする請求項５に記載の角度調整機能付きＬＥＤ照明器具。
【請求項７】
分離可能に並設される二つのＬＥＤ照明器具であって、
放熱壁、前記放熱壁の両側にそれぞれつながる二つの側壁、及び前記放熱壁から外部へ延伸する複数の放熱フィンを有し、前記放熱壁が各前記側壁と共に収容溝を形成する放熱本体と、
前記放熱壁に接続される回路基板および互いに間隔を置いて前記回路基板に並んで設けられる複数の発光ダイオードを有する、前記収容溝に収容される複数の発光モジュールと、
複数のレンズ素子をそれぞれ有し、前記収容溝に収容され、各前記発光モジュールを覆うように設けられ、各前記レンズ素子が、それぞれ各前記発光ダイオードの位置に対応し、各前記発光ダイオードからの光ビームがそれぞれ対応する各前記レンズ素子を透過して出射されるようにする複数の光透過モジュールと、
を含む二つのＬＥＤ照明器具と、
二つの角度調整シート及び前記角度調整シートに枢着されるハンドルを含み、且つ前記二つの角度調整シートが前記放熱本体にそれぞれロックされる角度調整装置と、
を備えることを特徴とする角度調整機能付きＬＥＤ照明器具。
【請求項８】
前記二つの角度調整シートのそれぞれは、枢着板および前記枢着板が曲がって延伸してなる固定板を有することを特徴とする請求項７に記載の角度調整機能付きＬＥＤ照明器具。
【請求項９】
各前記ＬＥＤ照明器具の各前記放熱フィンは、ロックフィンを含み、前記ロックフィンの中央に３つのロック孔が形成され、前記ロックフィンにおける中央から離れた先端に二つのロック孔が形成され、前記ロックフィンにおける中央から離れた末端に二つのロック孔が形成されていることを特徴とする請求項８に記載の角度調整機能付きＬＥＤ照明器具。
【請求項１０】
前記二つの固定板のそれぞれには多数の固定孔が設けられ、一方の固定板における各前記固定孔のうちの３つの固定孔は、一方のロックフィンにおける中央の３つのロック孔に対応するようにねじでロックされ、他方の固定板における各前記固定孔のうちの３つの固定孔は、他方のロックフィンにおける中央の前記３つのロック孔に対応するようにねじでロックされていることを特徴とする請求項９に記載の角度調整機能付きＬＥＤ照明器具。
【請求項１１】
固定部材を更に備え、前記固定部材が二つの固定バーを含み、且つ前記二つの固定バーが前記二つのＬＥＤ照明器具に対応するように、ねじでロックされることを特徴とする請求項１０に記載の角度調整機能付きＬＥＤ照明器具。
【考案の詳細な説明】
【技術分野】
【０００１】
本考案は、照明器具に関し、特に角度調整機能付きＬＥＤ照明器具に関する。
【背景技術】
【０００２】
従来、発光ダイオード(ＬＥＤ)は、環境にやさしくて、省エネルギーで、効率が高くて、寿命が長くて、体積が小さく、それに応答が速いなどの利点がある。近年、ＬＥＤ照明産業が速やかに発達し、ＬＥＤ照明の応用分野も多くなっている。
しかしながら、市場に知られているＬＥＤ照明器具は、モジュール化のデザインを採用していないので、異なる出力の照明器具に対するお客からの要求があると、この要求に応じて、異なる出力の照明器具を交換するのは一般的であるが、異なる出力の照明器具同士では、部品が共用できないので、製造および在庫コストが急激に大きくなってしまう。
【考案の概要】
【考案が解決しようとする課題】
【０００３】
本考案の主な目的は、角度調整機能付きＬＥＤ照明器具を提供することにある。角度調整装置により、所望の照明輝度を達成するように、一つまたは複数のＬＥＤ照明器具を合わせて、異なる出力の照明器具を組み立てることができ、要求に応じて、照明角度、ひいては照明範囲を調整することもできる。
【課題を解決するための手段】
【０００４】
前記目的を達成するために、本考案は、放熱壁、この放熱壁の両側にそれぞれつながる二つの側壁、及びこの放熱壁から外部へ延伸する複数の放熱フィンを有し、この放熱壁がこれらの側壁と共に収容溝を形成する放熱本体と、この放熱壁に接続される回路基板および互いに間隔を置いてこの回路基板に並んで設けられる複数の発光ダイオードを有する、この収容溝に収容される複数の発光モジュールと、複数のレンズ素子をそれぞれ有し、この収容溝に収容されるとともに、これらの発光モジュールを覆うように設けられ、これらのレンズ素子が、それぞれこれらの発光ダイオードの位置に対応し、これらの発光ダイオードからの光ビームがそれぞれ対応するこれらのレンズ素子を透過して出射されるようにする複数の光透過モジュールとを含むＬＥＤ照明器具と、二つの角度調整シート及びこれらの角度調整シートに枢着されるハンドルを含み、且つ当該二つの角度調整シートがこの放熱本体にロックされる角度調整装置と、を備える角度調整機能付きＬＥＤ照明器具を提供する。
【０００５】
前記目的を達成するために、本考案は、放熱壁、この放熱壁の両側にそれぞれつながる二つの側壁、及びこの放熱壁から外部へ延伸する複数の放熱フィンを有し、この放熱壁がこれらの側壁と共に収容溝を形成する放熱本体と、この放熱壁に接続される回路基板および互いに間隔を置いてこの回路基板に並んで設けられる複数の発光ダイオードを有する、この収容溝に収容される複数の発光モジュールと、複数のレンズ素子をそれぞれ有し、この収容溝に収容されるとともに、これらの発光モジュールを覆うように設けられ、これらのレンズ素子が、それぞれこれらの発光ダイオードの位置に対応し、これらの発光ダイオードからの光ビームがそれぞれ対応するこれらのレンズ素子を透過して出射されるようにする複数の光透過モジュールとを含む、分離可能に並設される二つのＬＥＤ照明器具と、二つの角度調整シート及びこれらの角度調整シートに枢着されるハンドルを含み、且つ当該二つの角度調整シートがこの放熱本体にそれぞれロックされる角度調整装置と、を備える角度調整機能付きＬＥＤ照明器具を提供する。
【考案の効果】
【０００６】
前記したように、本考案は、少なくとも以下の利点がある。本考案が提供する角度調整機能付きＬＥＤ照明器具は、角度調整装置により、所望の照明輝度を達成するように、一つまたは複数のＬＥＤ照明器具を合わせて、異なる出力の照明器具を組み立てることができるとともに、ＬＥＤ照明器具を要求に応じて、照明角度、ひいては照明範囲を調整できるようにする。
【図面の簡単な説明】
【０００７】
【図１】本考案に係る角度調整機能付きＬＥＤ照明器具の第１の実施形態の斜視図(一)。
【図２】本考案に係る角度調整機能付きＬＥＤ照明器具の第１の実施形態の斜視図(二)。
【図３】本考案に係る角度調整機能付きＬＥＤ照明器具の第１の実施形態の部分分解図(一)。
【図４】本考案に係る角度調整機能付きＬＥＤ照明器具の第１の実施形態の部分分解図(二)。
【図５】本考案に係る角度調整機能付きＬＥＤ照明器具の第２の実施形態の斜視図。
【図６】本考案に係る角度調整機能付きＬＥＤ照明器具の第２の実施形態の部分分解図(一)。
【図７】本考案に係る角度調整機能付きＬＥＤ照明器具の第２の実施形態の部分分解図(二)。
【図８】本考案に係る角度調整機能付きＬＥＤ照明器具の第３の実施形態の斜視図(一)。
【図９】本考案に係る角度調整機能付きＬＥＤ照明器具の第３の実施形態の斜視図(二)。
【図１０】本考案に係る角度調整機能付きＬＥＤ照明器具の第３の実施形態の部分分解図(一)。
【図１１】本考案に係る角度調整機能付きＬＥＤ照明器具の第３の実施形態の部分分解図(二)。
【図１２】本考案に係る角度調整機能付きＬＥＤ照明器具の第４の実施形態の斜視図。
【考案を実施するための形態】
【０００８】
本考案の特徴および技術内容を更に理解するために、実施形態と添付図面とを合わせて、本考案を後に詳述する。当業者であれば、本明細書に記載の内容から本考案の他の利点と効果を簡単に理解することができるはずである。本考案は、他の異なる具体的な実施例によって実行または適用されることもでき、本明細書における詳細についても、本考案の精神を逸脱しない範囲において、異なる観点と適用に基づく種々の改良及び変更が可能である。そこで、本考案における全ての実施形態は、制限するものでなく、例示に用いられるものである。本考案は、以下の実施形態以外に、他の実施形態にも広く適用され、且つ本考案は、いずれの実施形態にも限られるものではなく、添付した実用新案登録請求の範囲およびそれと均等の範囲により決められるべきものである。
【０００９】
図１から図４は、本考案に係る角度調整機能付きＬＥＤ照明器具の第１の実施形態の図である。本実施形態の角度調整機能付きＬＥＤ照明器具は、ＬＥＤ照明器具１００および角度調整装置２００を備える。ＬＥＤ照明器具１００は、放熱本体１０と、複数の発光モジュール２０と、複数の光透過モジュール３０とを含む。角度調整装置２００は、二つの角度調整シート７０およびこれらの角度調整シート７０に枢着されるハンドル８０を含む。以下、ＬＥＤ照明器具１００における放熱本体１０、発光モジュール２０、及び光透過モジュール３０、並びに角度調整装置２００における角度調整シート７０及びハンドル８０それぞれの構成について、それぞれ詳細に説明するが、それらの相互関係を適時に後述する。
【００１０】
放熱本体１０は、軽量化の金属材質で製作され、且つ良好な熱伝導力を有し、例えばアルミニウム、銅またはそれらの合金であるが、それに限られるものではない。放熱本体１０は、放熱壁１１と、放熱壁１１の両側にそれぞれつながる二つの側壁１２と、放熱壁１１から外部へ延伸する複数の放熱フィン１３とを有するが、放熱壁１１は、これらの側壁１２と共に収容溝１４を形成する。さらには、これらの放熱フィン１３は、ロックフィン１３１を含む。ロックフィン１３１の中央に、二つのロック孔１３１１が形成され、このロックフィン１３１における中央から離れた先端および末端にも、それぞれ二つのロック孔１３１１が形成されている。
【００１１】
これらの発光モジュール２０は、放熱本体１０の収容溝１４に収容される。各発光モジュール２０は、回路基板２１および複数の発光ダイオード２２を有し、これらの発光ダイオード２２が、互いに間隔を置いて回路基板２１に並んで設けられる。本実施形態において、各回路基板２１は、放熱本体１０が各発光モジュール２０からの熱を直接に吸収できるように、直接に放熱本体１０の放熱壁１１に当接されている。他の図示しない実施形態において、各回路基板２１は、熱伝導素子(例えば、均熱板)により、放熱本体１０の放熱壁１１に接続されて、これらの発光モジュール２０からの熱がこれらの熱伝導素子を介して放熱本体１０に伝導されるようにしてもよい。
【００１２】
これらの光透過モジュール３０は、散熱本体１０の収容溝１４に収容されるとともに、放熱本体１０の当該二つの側壁１２の間に位置されるが、当該二つの側壁１２が光透過モジュール３０に対する側方からの衝撃を防止することができる。これらの光透過モジュール３０は、これらの発光モジュール２０を覆うように設けられるものであるが、光透過モジュール３０は、材質が光透過可能な材質である集光カバーであってもよく、例えば、透明または半透明の材料で製作されるものであってもよい。そして、各光透過モジュール３０は、複数のレンズ素子３１を含み、且つこれらの光透過モジュール３０のこれらのレンズ素子３１は、それぞれこれらの発光モジュール２０のこれらの発光ダイオード２２の位置と対応して、これらの発光ダイオード２２からの光ビームがそれぞれ対応するこれらのレンズ素子３１を透過して出射される。本実施形態において、各光透過モジュール３０は、４つのレンズ素子３１を含むが、８つのレンズ素子３１を含むことも言うまでもなく、これらに限られるものではない。各レンズ素子３１を各発光ダイオード２２の位置と対応させればよい。
【００１３】
また、これらの発光ダイオード２２は、ｍ列ｎ行の発光ダイオード２２のアレイを形成することができ、これに応じて、これらのレンズ素子３１は、ｍ列ｎ行のレンズ素子３１のアレイを形成することもでき、これらのレンズ素子３１をこれらの発光ダイオード２２の数と対応させるようにする。
【００１４】
角度調整装置２００は、二つの角度調整シート７０及びハンドル８０を含み、且つ当該二つの角度調整シート７０が、放熱本体１０にロックされている。
【００１５】
さらに、当該二つの角度調整シート７０のそれぞれは、枢着板７１及びこの枢着板７１が曲がって延伸してなる固定板７２を有する。ただし、当該二つの固定板７２のそれぞれには、多数の固定孔７２１が設けられ、本実施形態において、４つの固定孔７２１が例示されており、一方の固定板７２における４つの固定孔７２１のうちの二つの固定孔７２１は、ロックフィン１３１の先端の当該二つのロック孔１３１１に対応するように、ねじでロックされ、他方の固定板７２における４つの固定孔７２１のうちの二つの固定孔７２１は、ロックフィン１３１の末端の当該二つの固定ロック孔１３１１に対応するように、ねじでロックされている。
【００１６】
より具体的には、各固定板７２のこれらの固定孔７２１は、互いに線で繋がって二等辺三角形が定義されることができ、その中で、ロックフィン１３１の末端の二つのロック孔１３１１に対応するようにロックされるための二つの固定孔７２１の位置は、前記定義された二等辺三角形の垂直二等分線に対応してもよい。同様に、ロックフィン１３１の先端の二つのロック孔１３１１に対応するようにロックされるための二つの固定孔７２１の位置は、定義された二等辺三角形の垂直二等分線に対応してもよい。
【００１７】
なお、ハンドル８０は、固定アーム８１及び固定アーム８１の両端がそれぞれ下方向に延伸してなる二つの分岐アーム８２を有する。当該二つの枢着板７１における中央に近接した部分のそれぞれに、枢着孔７１１が開設されており、２本の枢着ロッドＤは、当該二つの枢着板７１がそれぞれ当該二つの分岐アーム８２に対して枢転できるように、当該二つの分岐アーム８２及び当該二つの枢着孔７１１にそれぞれ挿設されている。
【００１８】
さらに、当該二つの枢着板７１における上端に近接した部分にも、それぞれアーチ形状のスライド溝７１２が開設されており、二つの位置決めロッドＥは、それぞれ当該二つの分岐アーム８２に挿設されるとともに、それぞれ延伸して当該二つのアーチ形状のスライド溝７１２に進入することによって、当該二つの位置決めロッドＥがそれぞれ当該二つのアーチ形状のスライド溝７１２の内縁に沿って往復移動できる。これによって、当該二つの枢着板７１が当該二つの分岐アーム８２に対して回動する場合、その回動範囲は、当該二つのアーチ形状のスライド溝７１２に制限される可能性があり、つまり、当該二つの位置決めロッドＥの外縁がそれぞれ当該二つのアーチ形状のスライド溝７１２の内端縁に係合して当接される場合、すなわち、同一方向へ更に角度を調整することができず、反対方向へ角度を調整するしかできなくなることによって、当該二つの分岐アーム８２に対する当該二つの枢着板７１の枢転角度が制限されて、回動すぎることが避けられる。本実施形態において、当該二つの分岐アーム８２に対する当該二つの枢着板７１の枢転角度は、約１８０度である。他の実施形態において、当該二つの分岐アーム８２に対する当該二つの枢着板７１の枢転角度が実際のデザイン要求やユーザーの要求により決められると理解される。これによって、ＬＥＤ照明器具１００の放熱本体１０は、角度調整装置２００により回動でき、発光モジュール２０及び光透過モジュール３０に調整可能な角度の照明範囲を持たせるようにする。
【００１９】
図５から図７は、本考案に係る角度調整機能付きＬＥＤ照明器具の第２の実施形態の図である。本実施形態の角度調整機能付きＬＥＤ照明器具は、その構成が第１の実施形態の角度調整機能付きＬＥＤ照明器具とほぼ同じであるが、本実施形態では、放熱本体１０が第１の実施形態の放熱本体１０の長さの二倍であり、第１の実施形態の二つの放熱本体１０から組み合わせたものでもある点で、主に第１の実施形態と異なっている。これによって、放熱本体１０の収容溝１４は、より多くの発光モジュール２０及び光透過モジュール３０を収容することができ、所望の照明輝度を達成するようになる。なお、本実施形態のロックフィン１３１の中央には、３つのロック孔１３１１が形成されており、ロックフィン１３１における中央から離れた先端および末端にも、それぞれ二つのロック孔１３１１が形成されており、当該二つの角度調整シート７０における一方の固定板７２の４つの固定孔７２１のうち、二つの固定孔７２１がロックフィン１３１の先端の当該二つのロック孔１３１１に対応するように、ねじでロックされ、他方の固定板７２の４つの固定孔７２１のうち、二つの固定孔７２１がロックフィン１３１の末端の当該二つのロック孔１３１１に対応するように、ねじでロックされる。そして、ハンドル８０が当該二つの角度調整シート７０に枢着されて、ＬＥＤ照明器具１００の放熱本体１０が角度調整装置２００により回動でき、発光モジュール２０及び光透過モジュール３０に調整可能な角度の照明範囲を持たせるようにする。
【００２０】
図８から図１１は、本考案に係る角度調整機能付きＬＥＤ照明器具の第３の実施形態の図である。本実施形態の角度調整機能付きＬＥＤ照明器具は、その構成が第２の実施形態の角度調整機能付きＬＥＤ照明器具とほぼ同じであるが、本実施形態では、本実施形態の角度調整機能付きＬＥＤ照明器具が分離可能に並設される二つのＬＥＤ照明器具１００を備え、角度調整装置２００における当該二つの角度調整シート７０がそれぞれ当該二つのＬＥＤ照明器具１００にロックされる点で、主に第２の実施形態と異なっている。
【００２１】
さらに、当該二つの角度調整シート７０における一方の固定板７２の４つの固定孔７２１のうちの３つの固定孔７２１が当該二つのＬＥＤ照明器具１００における一方のロックフィン１３１の中央の３つのロック孔１３１１に対応するように、ねじでロックされ、他方の固定板７２の４つの固定孔７２１のうちの３つの固定孔７２１が他方のロックフィン１３１の中央の３つのロック孔１３１１に対応するように、ねじでロックされる。より具体的には、各固定板７２のこれらの固定孔７２１は、互いに線で繋がって二等辺三角形が定義されることができ、その中で、ロックフィン１３１の中央の３つのロック孔１３１１に対応するようにロックされるための３つの固定孔７２１の位置は、前記定義された二等辺三角形の底辺に対応してもよい。なお、ハンドル８０は、当該二つの角度調整シート７０に枢着されて、当該二つのＬＥＤ照明器具１００のこれらの放熱本体１０が一つだけの角度調整装置２００により回動できるようになり、これらの発光モジュール２０及びこれらの光透過モジュール３０に調整可能な角度の照明範囲を持たせるようにして、且つ所望の照明輝度が達成されるように、より大きな出力の照明器具を組み立てる。
【００２２】
図１２は、本考案に係る角度調整機能付きＬＥＤ照明器具の第４の実施形態の図である。本実施形態の角度調整機能付きＬＥＤ照明器具は、その構成が第３の実施形態の角度調整機能付きＬＥＤ照明器具とほぼ同じであるが、本実施形態では、本実施形態の角度調整機能付きＬＥＤ照明器具が固定部材９０を更に備え、且つ固定部材９０が少なくとも二つの固定バー９１を含み、且つ二つの固定バー９１が対応するように、ねじで当該二つのＬＥＤ照明器具１００にロックされて、当該二つのＬＥＤ照明器具１００がより安定的に並設できるようにする点で、主に第３の実施形態を異なっている。
【００２３】
前記したように、本考案の実施形態が提供する角度調整機能付きＬＥＤ照明器具は、角度調整装置により、所望の照明輝度を達成するように、一つまたは複数のＬＥＤ照明器具を合わせて、異なる出力の照明器具を組み立てることができるとともに、ＬＥＤ照明器具を要求に応じて、照明角度、ひいては照明範囲も調整できるようにする。
【００２４】
上記は、本考案の好ましい実現可能な実施形態に過ぎず、本考案の実用新案登録請求の範囲を限定するものではない。本考案の実用新案登録請求の範囲に基づく均等の変更及び変形であれば、いずれも本考案の範囲内に含まれるものとする。
【符号の説明】
【００２５】
１００    ＬＥＤ照明器具
１０    放熱本体
１１    放熱壁
１２    側壁
１３    放熱フィン
１３１    ロックフィン
１３１１    ロック孔
１４    収容溝
２０    発光モジュール
２１    回路基板
２２    発光ダイオード
３０    光透過モジュール
３１    レンズ素子
２００    角度調整装置
７０    角度調整シート
７１    枢着板
７１１    枢着孔
７１２    アーチ形状のスライド溝
７２    固定板
７２１    固定孔
８０    ハンドル
８１    固定アーム
８２    分岐アーム
９０    固定部材
９１    固定バー
Ｄ    枢着ロッド
Ｅ    位置決めロッド
【図１】
0003203339.tif 000003
【図２】
0003203339.tif 000004
【図３】
0003203339.tif 000005
【図４】
0003203339.tif 000006
【図５】
0003203339.tif 000007
【図６】
0003203339.tif 000008
【図７】
0003203339.tif 000009
【図８】
0003203339.tif 000010
【図９】
0003203339.tif 000011
【図１０】
0003203339.tif 000012
【図１１】
0003203339.tif 000013
【図１２】
0003203339.tif 000014